(57)【要約】  本発明は、被検査者の嗅覚を簡便かつ正確に評価することのできる方法を提供する。具体的には、本発明は、一連の食品のニオイを類似度により３以上のクラスターに分類する分類工程、各クラスターを代表する食品のニオイを被検査者に提示してそのニオイから想起される食品を選択させる提示工程、及び正答率が高い及び／又は誤答率が低い被検査者を嗅覚維持者、正答率が低い及び／又は誤答率が高い被検査者を嗅覚低下者と評価する評価工程を含む、被検査者の嗅覚の判別方法、及び該方法に用いるキットを提供する。
2017146005.tif 000002
【特許請求の範囲】
【請求項１】
一連の食品のニオイを類似度により３以上のクラスターに分類する分類工程、
各クラスターを代表する食品のニオイを被検査者に提示してそのニオイから想起される食品を選択させる提示工程、及び
正答率が高い及び／又は誤答率が低い被検査者を嗅覚維持者、正答率が低い及び／又は誤答率が高い被検査者を嗅覚低下者と評価する評価工程
を含む、被検査者の嗅覚の判別方法。
【請求項２】
すべてのクラスターの食品のニオイを被検査者に提示してそのニオイから想起される食品を選択させたときの維持／低下の判定と、各クラスターの食品のニオイを被検査者に提示してそのニオイから想起される食品を選択させたときの正誤との尤度比を算出し、尤度比が高い２以上のクラスターを選抜する選抜工程を、分類工程の後に更に含み、
提示工程では選抜工程で選抜された２以上の各クラスターを代表する食品のニオイを被検査者に提示してそのニオイから想起される食品を選択させる、請求項１に記載の判別方法。
【請求項３】
選抜工程ではさらに、すべてのクラスターの食品のニオイを被検査者に提示してそのニオイから想起される食品を選択させたときの維持／低下の判定と、前記選抜された２以上のクラスターのうち一部のかつ２以上のクラスターの食品のニオイを被検査者に提示してそのニオイから想起される食品を選択させたときの維持／低下の判定との間の、感度、特異度、尤度比及び相関係数から選ばれる１以上を算出し、これらが高い２以上のクラスターの組み合わせを選抜する、請求項２に記載の判別方法。
【請求項４】
尤度比は、陽性尤度比である、請求項２又は３に記載の判別方法。
【請求項５】
クラスターの選抜において、選抜されるクラスターの尤度比は４以上である、請求項２〜４のいずれか１項に記載の判別方法。
【請求項６】
クラスターの組み合わせの選抜において、選抜される組み合わせの感度は０．８以上、特異度は０．９以上、相関係数は０．７以上である、請求項３〜５のいずれか１項に記載の判別方法。
【請求項７】
被検査者は高齢者である、請求項１〜６のいずれか１項に記載の判別方法。
【請求項８】
被検査者への食品のニオイの提示は、そのニオイを付したカード、スティック、綿球入り瓶、濾紙、ペン、又はマイクロカプセルを用いて行う、請求項１〜７のいずれか１項に記載の判別方法。
【請求項９】
一連の食品は、加工食品、調理食品、乳製品、肉、魚介、野菜、果物、飲料、菓子及び調味料から選ばれる、請求項１〜８のいずれか１項に記載の判別方法。
【請求項１０】
請求項１〜９のいずれか１項に記載の判別方法に用いられる、選抜されたクラスターを代表する食品のニオイが付された提示具を含む、被検査者の嗅覚の評価キット。
【請求項１１】
提示具は、カード、スティック、綿球入り瓶、濾紙、ペン、又はマイクロカプセルより選ばれる、請求項１０に記載の評価キット。
【請求項１２】
回答用紙をさらに含む、請求項１０又は１１に記載の評価キット。
【発明の詳細な説明】
【技術分野】
【０００１】
本発明は、嗅覚の判別方法に関する。
【背景技術】
【０００２】
食品のニオイは、味と共においしさの重要な要素である。そのため、嗅覚の低下は食事摂取に影響を与え、栄養状態の悪化や体重低下を招くと言われている。嗅覚は、加齢に伴い低下することが多い。【０００３】
食品開発において、食事摂取と消費者の嗅覚を合わせて研究することは重要である。そのため、対象食品の消費者の嗅覚を評価する方法が望まれていた。すなわち、被検査者の食品に対する嗅覚（ニオイの感じ方）が正常か又は低下しているかを簡便に、例えば被検査者が高齢者であっても簡便に判別できる方法が望まれていた。【０００４】
従来の嗅覚検査法は、閾値検査（例：嗅覚検査キット（Ｔ＆Ｔオルファクトメーターなど）、静脈性嗅覚検査（アリナミンテストなど））、嗅覚同定能検査（例：スティック式キット、カード式キット（Ｏｐｅｎ  Ｅｓｓｅｎｃｅ）、ニオイに対する脳反応を測定する方法（例：ニオイ誘発脳電位、機能的ＭＲＩ、ＳＰＥＣＴ、脳磁図を利用する方法）、ニオイに対する自律神経反射を測定する方法（例：瞳孔反応を測定する方法、呼吸曲線を用いる方法）などである（非特許文献１〜３）。【０００５】
これらのうちカード式キット（Ｏｐｅｎ  Ｅｓｓｅｎｃｅ）は、被検査者が一人で実施することができる。Ｏｐｅｎ  Ｅｓｓｅｎｃｅは付番された１２枚のカードからなり、それぞれのカードに異なる生活臭（例えば、墨汁、材木、香水、メントール、みかん、カレー、家庭用のガス、ばら、ひのき、蒸れた靴下・汗臭い、練乳(コンデンスミルク)、炒めたにんにく）が賦香され、ニオイの選択肢が列記されている。各カードは折りたたまれており、被検査者がカードを開くと、生活臭が生じる。被検査者はこれを嗅ぎ何のニオイと感じたかを選択肢から選ぶ。Ｔ＆Ｔオルファクトメーターの結果と強く相関し、研究用として広く使用されている。
【先行技術文献】
【非特許文献】
【０００６】
【非特許文献１】斉藤  幸子ほか（１９９４）日本味と匂学会誌、第１巻第３号、ｐ４６０−４６３
【非特許文献２】斉藤  幸子ほか（１９９８）日本味と匂学会誌、第５巻第３号、ｐ３２３−３２６
【非特許文献３】斉藤  幸子ほか（２００３）におい・かおり環境学会誌、第３４巻第１号、ｐ１−６
【発明の概要】
【発明が解決しようとする課題】
【０００７】
しかしながらＴ＆Ｔオルファクトメーターによる方法は、通気装置が必要であった。アリナミンテストは医師が実施する必要があり、侵襲性があるため被検査者のストレスを招くという問題があった。スティック式キットの場合、１対１でオペレーターが必要であった。脳反応測定法及び自律神経反射測定法は、医師による実施が必要であった。【０００８】
Ｏｐｅｎ  Ｅｓｓｅｎｃｅは、被検査者が１２枚のカードにつき判断する必要があるため、時間がかかり、中でも被検査者が高齢者の場合、試験終了前に疲れて判断が難しくなることがある。また、Ｏｐｅｎ  Ｅｓｓｅｎｃｅのニオイの１２種の分類は、古い日本の日常生活臭の分類がもととなっており、現在の生活スタイルと必ずしも一致しない分類もあり、被検査者がイメージしにくいおそれがある。さらに、Ｏｐｅｎ  Ｅｓｓｅｎｃｅに含まれる生活臭のうち食品のニオイは少なく、食品のニオイに特化した嗅覚判別法の開発が望まれていた。【０００９】
本発明は、被検査者の嗅覚を簡便かつ正確に評価することのできる方法の提供を目的とする。
【課題を解決するための手段】
【００１０】
本発明は、以下を提供する。
〔１〕一連の食品のニオイを類似度により３以上のクラスターに分類する分類工程、
各クラスターを代表する食品のニオイを被検査者に提示してそのニオイから想起される食品を選択させる提示工程、及び
正答率が高い及び／又は誤答率が低い被検査者を嗅覚維持者、正答率が低い及び／又は誤答率が高い被検査者を嗅覚低下者と評価する評価工程
を含む、被検査者の嗅覚の判別方法。
〔２〕すべてのクラスターの食品のニオイを被検査者に提示してそのニオイから想起される食品を選択させたときの維持／低下の判定と、各クラスターの食品のニオイを被検査者に提示してそのニオイから想起される食品を選択させたときの正誤との尤度比を算出し、尤度比が高い２以上のクラスターを選抜する選抜工程を、分類工程の後に更に含み、
提示工程では選抜工程で選抜された２以上の各クラスターを代表する食品のニオイを被検査者に提示してそのニオイから想起される食品を選択させる、〔１〕に記載の判別方法。
〔３〕選抜工程ではさらに、すべてのクラスターの食品のニオイを被検査者に提示してそのニオイから想起される食品を選択させたときの維持／低下の判定と、前記選抜された２以上のクラスターのうち一部のかつ２以上のクラスターの食品のニオイを被検査者に提示してそのニオイから想起される食品を選択させたときの維持／低下の判定との間の、感度、特異度、尤度比及び相関係数から選ばれる１以上を算出し、これらが高い２以上のクラスターの組み合わせを選抜する、〔２〕に記載の判別方法。
〔４〕尤度比は、陽性尤度比である、〔２〕又は〔３〕に記載の判別方法。
〔５〕クラスターの選抜において、選抜されるクラスターの尤度比は４以上である、〔２〕〜〔４〕のいずれかに記載の判別方法。
〔６〕クラスターの組み合わせの選抜において、選抜される組み合わせの感度は０．８以上、特異度は０．９以上、相関係数は０．７以上である、〔３〕〜〔５〕のいずれかに記載の判別方法。
〔７〕被検査者は高齢者である、〔１〕〜〔６〕のいずれかに記載の判別方法。
〔８〕被検査者への食品のニオイの提示は、そのニオイを付したカード、スティック、綿球入り瓶、濾紙、ペン、又はマイクロカプセルを用いて行う、〔１〕〜〔７〕のいずれかに記載の判別方法。
〔９〕一連の食品は、加工食品、調理食品、乳製品、肉、魚介、野菜、果物、飲料、菓子及び調味料から選ばれる、〔１〕〜〔８〕のいずれかに記載の判別方法。
〔１０〕〔１〕〜〔９〕のいずれかに記載の判別方法に用いられる、選抜されたクラスターを代表する食品のニオイが付された提示具を含む、被検査者の嗅覚の評価キット。
〔１１〕提示具は、カード、スティック、綿球入り瓶、濾紙、ペン、又はマイクロカプセルより選ばれる、〔１０〕に記載の評価キット。
〔１２〕回答用紙をさらに含む、〔１０〕又は〔１１〕に記載の評価キット。
〔１３〕一連の食品のニオイを類似度により３以上のクラスターに分類する分類工程、及び
すべてのクラスターの食品のニオイを被検査者に提示してそのニオイから想起される食品を選択させたときの維持／低下の判定と、各クラスターの食品のニオイを被検査者に提示してそのニオイから想起される食品を選択させたときの正誤との尤度比を算出し、尤度比が高い２以上のクラスターを選抜する選抜工程
により選抜されたクラスターを代表する食品のニオイを付した提示具を含む、被検者の嗅覚判別用評価キット。
〔１４〕一連の食品のニオイを類似度により３以上のクラスターに分類する分類工程、及び
すべてのクラスターの食品のニオイを被検査者に提示してそのニオイから想起される食品を選択させたときの維持／低下の判定と、各クラスターの食品のニオイを被検査者に提示してそのニオイから想起される食品を選択させたときの正誤との尤度比を算出し、尤度比が高い２以上のクラスターを選抜する選抜工程
により選抜された各クラスターを代表する食品のニオイを選択する、被検者の嗅覚判別用に用いる食品のニオイの選抜方法。
【発明の効果】
【００１１】
本発明によれば、被検査者の嗅覚を簡便かつ正確に評価、判定することができ、従来評価が難しいとされていた高齢者にも適用可能である。
【図面の簡単な説明】
【００１２】
【図１】図１は、実施例の食品のニオイのクラスターを示す系統図である。
【図２】図２は、食品のニオイ評価キットのスコアとＯｐｅｎ  Ｅｓｓｅｎｃｅのスコアの散布図である。
【図３】図３は、成人又は高齢者における実施例１で作成の１６種の食品のニオイ評価キットのスコアの度数を示す図である。
【図４】図４は、成人又は高齢者におけるＯｐｅｎ  Ｅｓｓｅｎｃｅのスコアの度数を示す図である。
【図５】図５は、成人又は高齢者における実施例３で作成の５種の食品のニオイ評価キット簡易版のスコアの度数を示す図である。
【図６】図６は、成人又は高齢者における比較例２で作成の５種のＯｐｅｎ  Ｅｓｓｅｎｃｅ簡易版のスコアの度数を示す図である。
【発明を実施するための形態】
【００１３】
嗅覚とは、五感の１つであり、ニオイ（香り）の感覚である。ニオイには、鼻からかぐオルソネーザル香とのどを通して鼻に抜けるレトロネーザル香があるが、本明細書におけるニオイとは、オルソネーザル香を意味し、食品に由来するニオイ（食品のニオイ）であることが好ましい。
【００１４】
被検査者の嗅覚を評価する方法には閾値、識別、同定があり、本明細書における嗅覚判定は、通常、ニオイの同定能力の評価に相当する。嗅覚判定は、本来のニオイの同定能力を維持している可能性が高いか、及び低下している可能性が高いか、の判別であってもよく、被検査者が高齢者である場合には斯かる判別であることが好ましい。嗅覚異常及びニオイの同定能力の低下の原因は、特に限定されず、例えば老化、嗅覚障害（感冒性、外傷性など）が挙げられるが、本明細書における嗅覚判定は、当該原因を診断する方法には該当しない。被検査者の年齢、性別、健康状態、生活環境などの条件は、特に限定されないが、被検者が高齢者であることが好ましい。
【００１５】
被検査者の嗅覚の評価の目的は特に限定されず、例えば、食品の官能評価のパネラーの選抜や食品嗜好性との関連解析などが挙げられる。本発明の目的は健康状態の医療判断ではなく、その前段階における可能性を判定するものである。本発明において、治療、診断、検査等医療目的での評価は除かれる。
【００１６】
本発明においては、被検査者の嗅覚を評価するにあたり、通常は以下の工程を行う：
（１）一連の食品のニオイを類似度により３以上のクラスターに分類する分類工程、
（２）各クラスターを代表する食品のニオイを被検査者に提示してそのニオイから想起される食品を選択させる提示工程、及び
（３）正答率が高い及び／又は誤答率が低い被検査者を嗅覚維持者、正答率が低い及び／又は誤答率が高い被検査者を嗅覚低下者と評価する評価工程。
【００１７】
（１）一連の食品のニオイを類似度により３以上のクラスターに分類する分類工程
食品は、それ自体を、又はそれを他の食品と組み合わせて食する食品であればよく、例えば、加工食品、調理食品、乳製品、肉、魚介、野菜、果物、飲料、菓子、及び調味料が挙げられる。
【００１８】
一連の食品は、被検査者が日常経験からその食品のニオイを容易にイメージ可能な、及び／又は、被検査者が日常生活において食する機会のある、食品であることが好ましい。例えば、被検査者が日本人および／または日本を生活の本拠としている場合には、以下の食品が挙げられる：
チョコレート、たい焼き、まんじゅう、カラメル、黒糖かりんとう、はちみつ、カステラ、クッキー（クッキーの焼けるニオイを発するものを含む）、せんべい等の菓子；
バニラアイスクリーム、練乳（コンデンスミルク）、スライスチーズ、溶けたバター、ヨーグルト等の乳製品；
ホットコーヒー、ココア等の飲料；
バナナ、もも、りんご、いちご、ぶどう（巨峰）、干しブドウ、かんきつ類（例：すだち、ゆず、レモン、みかん）等の果物；
フライドチキン、鶏のから揚げ、てんぷら、フライドポテト等の揚げ物；
生の長ねぎ、生のたまねぎ、ゆでた青菜、生のピーマン、青じその葉、きんぴらごぼう、野菜炒め等の野菜又は野菜料理；
ウスターソース、ケチャップ等の調味料；
麻婆豆腐、焼きぎょうざ、炒めたニラ、ごま油等の中華料理又はその材料；
生のにんにく、すりおろしたわさび、すりおろしたしょうが、カレー、コショウ、シナモン（ニッキ）等のスパイス；
ソース焼きそば、スパゲティーミートソース、ラーメン（醤油ラーメンを含む、又は醤油ラーメンのスープであってもよい）等の麺料理；
ビーフシチュー、肉じゃが、焼き鳥（タレ味、塩味）、焼肉（タレ味、塩味）、豚肉のしょうが焼き、ハンバーグ等の肉料理；
たまご焼き（甘いたまご焼きを含む）、オムレツ、ゆでたまご等の卵料理；
ピーナッツ、豆腐、納豆、味噌、醤油（生醤油を含む）、みそ汁等の豆又はその加工品；
ポップコーン（塩味など）、コーンスープ等のトウモロコシ加工品、又はトウモロコシ；
あたたかい玄米茶、あたたかい緑茶、あたたかい紅茶等の茶類；
トースト（焼いたパン）、焼いた餅、炊きたてのご飯、炊きこみごはん、焼きいも等の穀類又はいも及びでん粉類；
魚の塩焼き、焼いた魚の干物、焼いたするめ、魚の煮つけ（魚の煮つけの汁であってもよい）、ゆでたカニ、うなぎの蒲焼、かつおぶし、煮干し等の魚介料理又はその加工品；
焼き海苔（のり）、海苔（のり）のつくだ煮、とろろこんぶ等の藻類又はその加工品；
おでん（おでんのつゆであってもよい）等の鍋料理；
福神漬け、たくあん、ぬかみそ漬け、白菜キムチ、梅干し等の漬物；
酢、酢の物、あたたかい寿司飯、らっきょうの酢漬け、マヨネーズ等の酢を使用した料理。
【００１９】
一連の食品は、上記食品に限定されず、被検者の国籍、生活の本拠としている国又は地域、生活習慣、年齢等によって適宜決定され得る。一連の食品の数は、６以上が好ましく、７以上がより好ましく、８以上が更に好ましい。上限は、２００以下が好ましく、１５０以下がより好ましく、１００以下が更に好ましい。
【００２０】
食品のニオイの類似度は、例えば、その食品のニオイのもととなる成分（例：原材料、調味料、香料など）の同一又は類似、ニオイを引き出す調理法の同一又は類似、並びに、食品のニオイの記述語及び／又は画像等によって想起されるニオイの同一又は類似から選ばれる少なくとも１つにより判断することができる。なお、食品のニオイは、様々な成分の組み合わせに起因しており、同じニオイ成分を呈する食品が必ずしも同じクラスターに属するとは限らない。
【００２１】
分類されるクラスターの数は３以上であればよく、例えば、４以上であり、５以上が好ましく、６以上が更に好ましい。上限は特に限定されないが、通常は３５以下である。
【００２２】
各クラスターを構成する食品の数は、一連の食品の数及びクラスターの数によるが、２以上であればよく、３以上であることが好ましい。上限は特に限定されないが、例えば、１５以下、通常は１２以下、１０以下である。
【００２３】
クラスターとしては例えば、甘い香りクラスター、調理食品の香りクラスター、魚臭クラスター、いぶした香りクラスター及び酸っぱい香りクラスターからなる群より選ばれる３つ以上が挙げられ、４つ以上が好ましく、５つがより好ましい。上記群より選ばれるクラスターにおいてさらに細分化されたグループ（例えば、以下の（１−１）〜（１−３）、（２−１）〜（２−７）、（３−１）、（４−１）〜（４−２）、（５−１）〜（５−３））のクラスター（サブクラスター）を用いてもよい。
【００２４】
甘い香りクラスターに分類される食品のニオイとしては、例えば以下が挙げられる：（１−１）チョコレート、ココア、ホットコーヒーから選ばれる食品の香り；（１−２）バニラアイスクリーム、練乳（コンデンスミルク）等の乳製品、カステラ、クッキーの焼けるニオイ、たい焼き、まんじゅう、カラメル、黒糖かりんとう、はちみつから選ばれる食品の香り；（１−３）バナナ、もも、りんご、いちご、ぶどう（巨峰）、干しブドウから選ばれる食品の香り。（１−１）〜（１−３）のサブクラスターは、互いに近隣クラスターの関係にある。
【００２５】
調理食品の香りクラスターに分類される食品のニオイとしては、例えば以下が挙げられる：（２−１）フライドチキン、鶏のから揚げ、てんぷら、フライドポテトから選ばれる食品の香り；（２−２）生の長ねぎ、生のたまねぎ、ゆでた青菜、生のピーマン、青じその葉から選ばれる食品の香り；（２−３）ごま油、麻婆豆腐、生のにんにく、焼きぎょうざ、炒めたニラ、すりおろしたわさび、すりおろしたしょうが、カレー、コショウ、シナモン（ニッキ）から選ばれる食品の香り；（２−４）ウスターソース、ソース焼きそば、ケチャップ、スパゲティーミートソース、ビーフシチューから選ばれる食品の香り；（２−５）甘いたまご焼き、オムレツ、ゆでたまご、ピーナッツ、ポップコーン（塩味）、溶けたバター、コーンスープ、トウモロコシから選ばれる食品の香り；（２−６）あたたかい玄米茶、あたたかい緑茶、あたたかい紅茶、トースト（焼いたパン）、焼いた餅、炊きたてのご飯、豆腐から選ばれる食品の香り；（２−７）味噌、みそ汁、スライスチーズ、ヨーグルト、納豆から選ばれる食品の香り。（２−１）〜（２−７）のサブクラスターは、互いに近隣クラスターの関係にある。
【００２６】
魚臭クラスターに分類される食品のニオイとしては、例えば以下が挙げられる：（３−１）魚の塩焼き、焼いた魚の干物、煮干し、焼き海苔（のり）、海苔（のり）のつくだ煮、ゆでたカニ、焼きいもから選ばれる食品の香り。
【００２７】
いぶした香りクラスターに分類される食品のニオイとしては、例えば以下が挙げられる：（４−１）生醤油、醤油ラーメンのスープ、せんべい、きんぴらごぼう、魚の煮つけの汁、肉じゃが、おでんのつゆ、炊きこみごはん、かつおぶしから選ばれる食品の香り；（４−２）うなぎの蒲焼、焼き鳥（タレ味）、焼肉（タレ味）、野菜炒め、豚肉のしょうが焼き、ハンバーグから選ばれる食品の香り。（４−１）〜（４−２）のサブクラスターは、互いに近隣クラスターの関係にある。
【００２８】
酸っぱい香りクラスターに分類される食品のニオイとしては、例えば以下が挙げられる：（５−１）すだち、ゆず、レモン、みかんから選ばれる食品の香り；（５−２）福神漬け、たくあん、白菜キムチの香りから選ばれる食品の香り；（５−３）酢、酢の物、あたたかい寿司飯、らっきょうの酢漬け、梅干し、マヨネーズから選ばれる食品の香り。（５−１）〜（５−３）のサブクラスターは、互いに近隣クラスターの関係にある。
【００２９】
（２）各クラスターを代表する食品のニオイを被検査者に提示してそのニオイから想起される食品を選択させる提示工程
各クラスターを代表する食品は、各クラスターを構成する食品から適宜選択できる。例えば、香料によるニオイの再現が容易な食品、所属するクラスターの代表性が統計学的に高い食品が挙げられる。
【００３０】
被検査者の年齢、性別は特に限定されないが、高齢者であることが好ましい。提示される食品のニオイの数の例としては、２以上、３以上、４以上、又は５以上が挙げられ、具体的には、２、３、４、５、又は１６が挙げられる。食品のニオイを被検査者に提示する方法は、特に限定されず、例えば、各ニオイ（すなわち、そのニオイ成分を調合した香料組成物）を付した提示具を用いる方法が挙げられる。提示具としては例えば、賦香したカード、スティック、綿球入り瓶、濾紙、ペン、又はマイクロカプセルが挙げられる。香料組成物は、それぞれの食品のニオイに近いニオイを発するように調合されていればよく、その組成は特に限定されない。各被検査者への提示条件は、統一されていることが好ましい。また、該当するニオイを提示する際に、正答である食品を同じクラスターの少なくとも１つの別の食品、近隣のクラスターに属する少なくとも１つの食品、及び他のクラスター（近隣のクラスター以外のクラスター）に属する少なくとも１つの食品と共に示し、その中から選択回答させることでもよい。例えば、提示する食品のニオイが、甘い香りクラスター、調理食品の香りクラスター、魚臭クラスター、いぶした香りクラスター及び酸っぱい香りクラスターから選択される場合、「同じクラスター」とは、通常、提示する食品のニオイが属するサブクラスターを指し、「近隣のクラスター」とは、通常、提示する食品のニオイが属するサブクラスターと近隣クラスターの関係にあるサブクラスターを指す。なお、別の食品の選択にあたり、別の食品のそれぞれが重複しないことが好ましい。
【００３１】
提示される各食品のニオイは、通常、そのニオイ成分を調合した香料組成物であればよい。そのような香料組成物の調製方法は特に限定されず、それぞれの成分に適した調合、調製条件を適宜採用すればよい。
【００３２】
（３）正答率が高い及び／又は誤答率が低い被検査者を嗅覚維持者、正答率が低い及び／又は誤答率が高い被検査者を嗅覚低下者と評価する評価工程
被検査者の回答において正答率が高い場合には、嗅覚維持者であると判定（評価）される。一方、被検査者の回答において誤答率が高い場合には、嗅覚低下者であると判定（評価）される。反対に、被検査者の回答において誤答率が低い場合には、嗅覚維持者であると判定（評価）される。一方、被検査者の回答において正答率が低い場合には、嗅覚低下者であると判定（評価）される。嗅覚維持者とは、嗅覚を正常に維持している可能性が高いヒトを意味する。嗅覚低下者とは、嗅覚が正常のレベルより低下している可能性が高いヒトを意味する。
正答率が高いことの判断は、複数の被検査者の正答率の平均値及び標準偏差から定められた基準値でもよいが、通常は正答率７０％以上であり、好ましくは７１％以上であり、より好ましくは７２％以上である。誤答率が低いことの判断も、複数の被検査者の誤答率の平均値及び標準偏差から定められた基準値でもよいが、通常、正答率が高いことの判断基準と対応している。従って、誤答率が低いことの判断は、通常は誤答率３０％未満であり、好ましくは２９％未満であり、より好ましくは２８％未満である。
正答率が低いことの判断は、複数の被検査者の正答率の平均値及び標準偏差から定められた基準値でもよいが、通常は正答率７０％未満であり、好ましくは６９％未満であり、より好ましくは６８％未満である。誤答率が高いことの判断も、複数の被検査者の誤答率の平均値及び標準偏差から定められた基準値でもよいが、通常、正答率が低いことの判断基準と対応している。従って、誤答率が高いことの判断は、通常は誤答率３０％以上であり、好ましくは３１％以上であり、より好ましくは３２％以上である。
評価工程においては、被検査者の正答率にて嗅覚維持者及び嗅覚低下者の評価を行ってもよいし、被検査者の誤答率にて嗅覚維持者及び嗅覚低下者の評価を行ってもよいし、被検査者の正答率及び誤答率の両方にて嗅覚維持者及び嗅覚低下者の評価を行ってもよい。すなわち、評価工程の態様の例としては以下の態様が挙げられる：正答率が高い被検査者を嗅覚維持者、正答率が低い被検査者を嗅覚低下者と評価する評価工程；誤答率が低い被検査者を嗅覚維持者、誤答率が高い被検査者を嗅覚低下者と評価する評価工程；正答率が高い被検査者を嗅覚維持者、誤答率が高い被検査者を嗅覚低下者と評価する評価工程；誤答率が低い被検査者を嗅覚維持者、正答率が低い被検査者を嗅覚低下者と評価する評価工程；正答率が高い及び誤答率が低い被検査者を嗅覚維持者、正答率が低い及び／又は誤答率が高い被検査者を嗅覚低下者と評価する評価工程；正答率が高い及び／又は誤答率が低い被検査者を嗅覚維持者、正答率が低い及び誤答率が高い被検査者を嗅覚低下者と評価する評価工程。
【００３３】
上記工程（１）及び（２）の間に、以下の工程（４）を行ってもよい。これにより、被検査者に選択させるクラスターの数を厳選できるので、嗅覚の判定を簡易化できる：
（４）すべてのクラスターの食品のニオイを被検査者に提示してそのニオイから想起される食品を選択させたときの維持／低下の判定と、各クラスターの食品のニオイを被検査者に提示してそのニオイから想起される食品を選択させたときの正誤との尤度比を算出し、尤度比が高い２以上のクラスターを選抜する選抜工程。
【００３４】
すべてのクラスターの食品のニオイを被検査者に提示してそのニオイから想起される食品を選択させたときの維持／低下の判定は、通常、工程（１）で分類された各クラスターを代表する食品（すべてのクラスターを代表する食品）のニオイを被検査者に提示してそのニオイから想起される食品を選択させた際の、クラスターすべてについての正答率及び／又は誤答率からの判定である。各クラスターの食品のニオイを被検査者に提示してそのニオイから想起される食品を選択させたときの正誤とは、各クラスターの食品のニオイを被検査者に提示した際の、クラスターごとの正誤である。被検査者へのニオイの提示方法の例及び好ましい例は、工程（２）で挙げたそれぞれと同様であるが、工程（２）での提示方法とは異なっていてもよい。被検査者の例及び好ましい例も工程（２）で挙げたそれぞれと同様でよい。被検査者は工程（２）における被検査者とは異なるヒトでもよいが、被検査者の年齢、生活環境などの条件は、工程（２）の被検査者と同様であることが好ましい。
【００３５】
尤度比（Ｌｉｋｅｌｉｈｏｏｄ  Ｒａｔｉｏ；ＬＲ）とは、陽性尤度比（Ｐｏｓｉｔｉｖｅ  Ｌｉｋｅｌｉｈｏｏｄ  Ｒａｔｉｏ；ＬＲ＋）又は陰性尤度比（Ｎｅｇａｔｉｖｅ  Ｌｉｋｅｌｉｈｏｏｄ  Ｒａｔｉｏ；ＬＲ−）を意味し、通常は陽性尤度比である。陽性尤度比は、維持／低下を正しく判別するための総合指標である。「すべてのクラスターでの維持／低下の判定で低下である場合に、選択された各クラスターの正誤で誤答である比率」を、「すべてのクラスターでの維持／低下の判定で維持である場合に、選択された各クラスターの正誤で誤答である比率」で割ったもの、すなわち、選択された各クラスターの正誤で誤答である場合に、すべてのクラスターでの維持／低下の判定で低下と判定される可能性が何倍に増大するかを意味する。
【００３６】
選抜工程では、上記尤度比が高い２以上のクラスターが算出される。尤度比が高いとは、４以上が好ましい。
【００３７】
なお、尤度比だけでなく、感度、特異度、相関係数により選抜してもよい。感度（Ｓｅｎｓｉｔｉｖｉｔｙ）とは、嗅覚低下者を正しく低下と判定する割合、ここではすなわちすべてのクラスターでの維持／低下の判定で低下である場合に、各クラスターの正誤で誤答である比率を意味する。特異度（Ｓｐｅｃｉｆｉｃｉｔｙ）とは、嗅覚維持者を正しく維持と判定する割合、ここではすなわちすべてのクラスターでの維持／低下の判定で維持である場合に、各クラスターの正誤で正答である比率を意味する。相関係数とは、すべてのクラスターでの判定結果と各クラスターでの正誤の間の相関係数を意味する。いずれも高いほうが好ましい。
【００３８】
選抜工程ではさらに、すべてのクラスターの食品のニオイを被検査者に提示してそのニオイから想起される食品を選択させたときの維持／低下の判定と、前記のようにして選抜された２以上のクラスターの組み合わせのうち一部のかつ２以上のクラスターの食品のニオイを被検査者に提示してそのニオイから想起される食品を選択させたときの維持／低下の判定との間の、感度、特異度、尤度比及び相関係数から選ばれる１以上を算出し、これらが高い２以上のクラスターの組み合わせを選抜してもよい。これにより、被検査者の嗅覚をより高精度に判定することができる。
【００３９】
すべてのクラスターの食品のニオイを被検査者に提示してそのニオイから想起される食品を選択させたときの維持／低下の判定は、通常、工程（１）で分類された各クラスターを代表する食品（すべてのクラスターを代表する食品）のニオイを被検査者に提示してそのニオイから想起される食品を提示した際の、すべてのクラスターについての正答率及び／又は誤答率からの判定である。選抜された２以上のクラスターの組み合わせのうち一部のかつ２以上のクラスターの食品のニオイを被検査者に提示してそのニオイから想起される食品を選択させたときの維持／低下の判定とは、工程（４）において先に選抜された２以上のクラスターの組み合わせのうちの少なくとも一部の組み合わせを被検査者に提示してそのニオイから想起される食品を選択させたときの正答率及び／又は誤答率からの判定である。このような組み合わせが複数できる場合、それらのうちの全てについての判定でもよく、少なくとも１つの組み合わせについての判定であればよい。被検査者へのニオイの提示方法の例及び好ましい例は、工程（２）で挙げたそれぞれと同様であるが、工程（２）での提示方法とは異なっていてもよい。被検査者の例及び好ましい例も工程（２）で挙げたそれぞれと同様でよい。被検査者は工程（２）、及び工程（４）の前段における被検査者とは異なるヒトでもよいが、被検査者の年齢、生活環境などの条件は、工程（２）の被検査者と同様であることが好ましい。また、工程（４）の前段における被検査者とは共通の被検査者であることが好ましい。
【００４０】
感度、特異度、尤度比及び相関係数の定義は、上述のとおりであるが、クラスターの組み合わせを選抜する場合は、各クラスターの食品のニオイを被検査者に提示してそのニオイから想起される食品を選択させたときの正誤をクラスターの組み合わせの判定結果とする。感度は０．８以上が好ましい。特異度は、０．９０以上が好ましく、０．９５以上がより好ましい。尤度比は、３０以上が好ましく、３２以上がより好ましい。相関係数は、０．７以上が好ましく、０．７５以上がより好ましい。
【００４１】
工程（４）において選抜されるクラスターの数は、２以上であればよく、通常は３以上、４以上、好ましくは５以上である。上限は特に限定されないが、通常は３５以下、好ましくは２０以下である。少ないほうが、被検査者が高齢者である場合などでも簡便な検査が可能である。
【００４２】
選抜されるクラスターは、上記した甘い香りクラスター、調理食品の香りクラスター、魚臭クラスター、いぶした香りクラスター及び酸っぱい香りクラスターからなる群より選ばれる２つ以上のクラスターであればよい。選抜されるクラスターの組み合わせは、選抜されるクラスターを代表する食品の香りの組み合わせとして表すことができる。斯かる組み合わせとしては、例えば、チョコレート、カラメル及びバナナから選ばれる少なくとも１つの食品の香り；鶏のから揚げ、生のたまねぎ、焼きぎょうざ、スパゲティーミートソース、コーンスープ、トースト(焼いたパン)及びスライスチーズから選ばれる少なくとも１つの食品の香り；魚の塩焼きの香り；かつお節及び／又は焼き鳥(タレ味)の香り；レモン、白菜キムチ及び酢の物から選ばれる少なくとも１つの食品の香り、のうち２以上が好ましく、カラメル、コーンスープ、魚の塩焼き、かつお節、及びレモンの香りから選ばれる２以上がより好ましく、３以上が更に好ましく、４以上が更により好ましく、５以上がとりわけ好ましい。
【００４３】
工程（４）を行う場合、工程（２）においては、工程（４）で選抜されたクラスターを代表する食品のニオイを被検査者に提示する。
【００４４】
上記判別方法、中でも工程（４）は、選抜されたクラスターを代表する食品のニオイが付された提示具を含む、被検査者の嗅覚の評価キットにより実施することができる。このような提示具としては例えば、カード、スティック、綿球入り瓶、濾紙、ペン、又はマイクロカプセルが挙げられる。また、評価キットは、提示されたニオイから想起される食品を選択させるための回答用紙を更に含んでもよい。回答用紙は、提示したニオイの食品（正答である食品）、正答である食品と同じクラスターの少なくとも１つの別の食品、正答である食品と近隣のクラスターに属する少なくとも１つの食品、及び、正答である食品及びその近隣のクラスターとは別のクラスターに属する少なくとも１つの食品を含む選択肢から、提示されたニオイから想起される食品を選択回答させるためのものであってもよい。
【実施例】
【００４５】
実施例１（食品のニオイクラスターの作成及び食品のニオイ評価キットの作成）
すべて現代における高齢者でもイメージできる９６種の食品のニオイからなる「食品のニオイクラスター」を作成した（図１）。クラスターの内容を鑑みて、１６クラスターに分類した（図１中の分類軸Ａ参照）。なお、図１中、焼きいもは１種類で１クラスターを構成していたため、近隣クラスターに統合した。味噌、味噌汁については２種で１クラスターを構成していたが、ニオイの判別が難しいことから近隣クラスターに統合した。各クラスターから代表する１種の食品のニオイ（図１中の†印）を正解として選定し、正解に対応する香料を準備した。【００４６】
図１中、実施例１のクラスターは、分類軸Ａで区切られた食品群１６種（ただし、上記の一部統合を含む）である。【００４７】
クラスターを基に、正解と同じクラスターから１種、正解の近隣クラスターから１種、及び正解から遠いクラスターから１種の食品を、回答のための選択肢として選定し、回答用紙を作成した。１６種の香料を適切な濃度に希釈したものと、回答を選択肢から選択するための回答用紙からなるニオイ評価キットを作成した。【００４８】
実施例２及び比較例１
成人（２０代〜４０代男女１０５名）、高齢者（６０代〜８０代男女１０８名）を対象に、実施例１で作成したニオイ評価キット（実施例２）及びＯｐｅｎ  Ｅｓｓｅｎｃｅ（比較例１）を使用した食品のニオイ評価を実施した。【００４９】
食品のニオイ評価は、各クラスターから代表する１種の食品のニオイ（図１中の†印）を正解として提示し、同じクラスターの他の食品のニオイ、近隣クラスターを代表する１種の食品のニオイ、遠いクラスターを代表する１種の食品のニオイを回答のための選択肢として提示し、選択させることにより行った。【００５０】
【表１】
2017146005.tif 000003
【００５１】
実施例及び比較例では正答率としてスコア（正誤の正の合計数）を使用する。表１及び図２に示すとおり、食品のニオイ評価キットのスコアとＯｐｅｎ  Ｅｓｓｅｎｃｅのスコアとは強く正の相関を示した。【００５２】
各判別方法での維持／低下者の割合を図３及び４に示す。図３において、従来法（Ｏｐｅｎ  Ｅｓｓｅｎｃｅの前身となったニオイスティック）と同様の方法により基準値を設定し（成人スコアの平均値−標準偏差）、図中の横線より上は嗅覚維持、下が嗅覚低下と判断した。高齢者における嗅覚低下者の割合は食品のニオイは３７％、Ｏｐｅｎ  Ｅｓｓｅｎｃｅは５８％であった。食品のニオイの方が低下者が少ない理由としては以下の２つの理由が考えられる：（１）食品のニオイにおいては普段から接している食品のニオイを採用したため想起しやすいこと；及び（２）食品のニオイにおいては、現代の生活に即したクラスターを使用していることから、及び／又は、試験に使用した香料の完成度が高いことから想起しやすいことが考えられる。【００５３】
実施例３（食品のニオイ評価キットの簡易版の作成）
クラスターと尤度比を基に、実施例１で作成した１６種のキットよりも簡易なキットの作成を試みた。実施例１で作成した食品のニオイ評価キットは、１６クラスターからなっていたが、３〜５クラスター程度に減らすことを目標とした。【００５４】
実施例１において示した１６種のクラスターから内容を鑑みて、図１中の分類軸Ｂに基づき、より上位のクラスター５種に統合することとした。実施例１において行った１６種の正誤と維持／低下の結果から、尤度比を算出した。結果の一部を表２に示す。表２中の二重線は、５種のクラスターへの分類を示す。【００５５】
【表２】
2017146005.tif 000004
【００５６】
各クラスターから尤度比が高い最大３種を選定し、その組み合わせの感度、特異度、尤度比を算出した。３種の組み合わせは、５４とおりであった（（Ａ／Ｃ／Ｎ）×（Ｊ／Ｏ／Ｇ）×（Ｍ）×（Ｉ／Ｄ）×（Ｂ／Ｌ／Ｆ）＝５４）。【００５７】
５４とおりの組み合わせのうち、尤度比が３０以上の組み合わせ（表３）につき詳細検討を行った。感度、特異度、尤度比、相関係数は、１６種での維持／低下と５種での維持／低下の判定から算出した。感度は、１６種での低下者を５種でも正しく低下と判定する割合を、特異度は、１６種での維持者を５種でも正しく維持と判定する割合を示す。相関係数は、１６種の判定結果と５種の判定結果の相関係数である。正しく判定率は、１６種の判定結果と５種の判定結果が同じになる確率である。結果を表３に示す。【００５８】
【表３】
2017146005.tif 000005
【００５９】
表３に示す通り、ＣＪＭＩＢ（カラメル、コーンスープ、魚の塩焼き、かつお節、レモン）の組み合わせは、他の組み合わせと比較して感度及び特異度が高く、正しく判定される率が高いことが分かった。すなわち、これらの組み合わせで維持／低下の判定を行えば、１６種で維持／低下の判定を行わなくとも、被検査者の嗅覚を判定できることが明らかとなった。【００６０】
比較例２（Ｏｐｅｎ  Ｅｓｓｅｎｃｅの簡易版の作成）
Ｏｐｅｎ  Ｅｓｓｅｎｃｅは、文献（においの心理学  ｐ２３３  綾部早穂・斉藤幸子編著）によれば表４の５種のクラスターに大別される。そこで、各クラスターの正誤と１２種での維持／低下の結果から、尤度比を算出し、５種のクラスターのそれぞれから尤度比が高い３種を選定し、その組み合わせにつき実施例３と同様に詳細検討を行った。結果を表５に示す。【００６１】
【表４】
2017146005.tif 000006
【００６２】
【表５】
2017146005.tif 000007
【００６３】
表５に示すとおり、実施例３のように感度０．８以上、特異度０．９以上、尤度比が３０を超える組み合わせはなく、相関係数及び正しく判定率も低い値となった。この結果は、Ｏｐｅｎ  Ｅｓｓｅｎｃｅの場合クラスターを減らして簡易化することは難しいことを示している。【００６４】
実施例４及び比較例３
実施例３で選抜された５種の食品のニオイ評価キット簡易版、又は比較例２において選抜した５種のＯｐｅｎ  Ｅｓｓｅｎｃｅ簡易版につき、実施例２における評価結果から該当結果を抜き出して、被検査者（成人又は高齢者）の嗅覚維持／低下者の割合の判定を行った。それぞれの結果を図５及び表６、図６及び表７、まとめの結果を表８に示す。【００６５】
【表６】
2017146005.tif 000008
【００６６】
【表７】
2017146005.tif 000009
【００６７】
【表８】
2017146005.tif 000010
【００６８】
表６〜８に示す通り、実施例３で作成した食品のニオイ評価キットの簡易版は、５種にもかかわらず精度の良い判定が可能であった。
【図１】
2017146005.tif 000011
【図２】
2017146005.tif 000012
【図３】
2017146005.tif 000013
【図４】
2017146005.tif 000014
【図５】
2017146005.tif 000015
【図６】
2017146005.tif 000016
【国際調査報告】
2017146005.tif 000017
2017146005.tif 000018
2017146005.tif 000019
2017146005.tif 000020